(57)【要約】  デジタルサイネージでディスプレイされるディスプレイコンテンツレイヤ製作方法が開示される。デジタルサイネージでディスプレイされるディスプレイコンテンツレイヤ製作方法は、ディスプレイ管理モジュールが、複数のディスプレイ領域を含むディスプレイウィンドウをディスプレイする段階と、レイヤ編集モジュールが、ユーザ入力装置を通じて入力され、ディスプレイウィンドウに追加される追加ディスプレイ領域の名称と追加ディスプレイ領域の座標とを受信する段階と、レイヤ編集モジュールが、ディスプレイウィンドウ上に受信された追加ディスプレイ領域の座標に相応する追加ディスプレイ領域をオーバーラップさせ、該オーバーラップされた追加ディスプレイ領域に、追加ディスプレイ領域の名称と追加ディスプレイ領域の座標とをディスプレイする段階と、を含む。
2013527537.tif 000002
【特許請求の範囲】
【請求項１】
ディスプレイ管理モジュールが、複数のディスプレイ領域を含むディスプレイウィンドウをディスプレイする段階と、
レイヤ編集モジュールが、ユーザ入力装置を通じて入力され、前記ディスプレイウィンドウに追加される追加ディスプレイ領域の名称と追加ディスプレイ領域の座標とを受信する段階と、
前記レイヤ編集モジュールが、前記ディスプレイウィンドウ上に受信された追加ディスプレイ領域の座標に相応する前記追加ディスプレイ領域をオーバーラップさせ、該オーバーラップされた追加ディスプレイ領域に、前記追加ディスプレイ領域の名称と前記追加ディスプレイ領域の座標とをディスプレイする段階と、
を含むデジタルサイネージでディスプレイされるディスプレイコンテンツレイヤ編集方法。
【請求項２】
前記ディスプレイ管理モジュールは、前記複数のディスプレイ領域のそれぞれに、前記複数のディスプレイ領域のそれぞれの座標をディスプレイする請求項１に記載の方法。
【請求項３】
前記レイヤ編集モジュールは、前記ディスプレイウィンドウ上に、前記追加ディスプレイ領域を半透明または不透明にオーバーラップさせる請求項１に記載の方法。
【請求項４】
請求項１ないし請求項３のうちの何れか一項に記載の方法を実行することができるコンピュータプログラムを記録した記録媒体。
【請求項５】
複数のディスプレイ領域を含むディスプレイウィンドウをディスプレイするためのディスプレイ管理モジュールと、
ユーザ入力装置を通じて入力され、前記ディスプレイウィンドウに追加される追加ディスプレイ領域の名称と追加ディスプレイ領域の座標とを受信し、前記ディスプレイウィンドウ上に受信された追加ディスプレイ領域の座標に相応する前記追加ディスプレイ領域をオーバーラップさせ、該オーバーラップされた追加ディスプレイ領域に、前記追加ディスプレイ領域の名称と前記追加ディスプレイ領域の座標とをディスプレイするためのレイヤ編集モジュールと、
を含むデジタルサイネージでディスプレイされるディスプレイコンテンツレイヤ編集機。
【請求項６】
前記ディスプレイ管理モジュールは、前記複数のディスプレイ領域のそれぞれに、前記複数のディスプレイ領域のそれぞれの名称と座標とをディスプレイする請求項５に記載の編集機。
【請求項７】
前記レイヤ編集モジュールは、前記ディスプレイウィンドウ上に、前記追加ディスプレイ領域を半透明または不透明にオーバーラップさせる請求項５に記載の編集機。
【請求項８】
コンテンツレイヤ編集機から伝送されたディスプレイコンテンツをデジタルサイネージに伝送しうるサーバを含むディスプレイサイネージシステムにおいて、
前記コンテンツレイヤ編集機は、複数のディスプレイ領域を含むディスプレイウィンドウをディスプレイし、ユーザ入力装置を通じて入力され、前記ディスプレイウィンドウに追加される追加ディスプレイ領域の名称と追加ディスプレイ領域の座標とを受信し、前記ディスプレイウィンドウ上に受信された追加ディスプレイ領域の座標に相応する前記追加ディスプレイ領域をオーバーラップさせ、該オーバーラップされた追加ディスプレイ領域に、前記追加ディスプレイ領域の名称と前記追加ディスプレイ領域の座標とをディスプレイし、前記オーバーラップされた追加ディスプレイ領域でディスプレイされるコンテンツを前記オーバーラップされた追加ディスプレイ領域にリンクさせて生成された前記ディス
プレイコンテンツを前記サーバに伝送し、
前記サーバは、前記デジタルサイネージから出力された伝送要求信号に応答して、前記ディスプレイコンテンツを前記デジタルサイネージに伝送し、
前記デジタルサイネージは、前記ディスプレイコンテンツを前記オーバーラップされた追加ディスプレイ領域にディスプレイするディスプレイサイネージシステム。
【発明の詳細な説明】
【技術分野】
【０００１】
本発明の実施形態は、ディスプレイコンテンツレイヤ編集方法に係り、特に、ディスプレイ領域を追加して、複数のディスプレイ領域を含むディスプレイウィンドウにオーバーラップすることができるデジタルサイネージでディスプレイされるディスプレイコンテンツレイヤ編集方法と該方法を行う装置とに関する。
【背景技術】
【０００２】
デジタルサイネージ（電子看板、ｄｉｇｉｔａｌ  ｓｉｇｎａｇｅ）は、電気的なディスプレイ（表示）形態の１つであり、情報、広告、または他のメッセージを一般人に提供する。最近、前記デジタルサイネージを利用した情報または広告提供は、急増しつつある。しかし、新たなディスプレイ領域を追加して、複数のディスプレイ領域にオーバーラップする（重ね合わせる）ことによって、追加される新たなディスプレイ領域と前記複数のディスプレイ領域とをプレビューし、編集することができるコンテンツレイヤ編集機（編集装置）がなかった。
【発明の概要】
【発明が解決しようとする課題】
【０００３】
本発明が解決しようとする技術的な課題は、新たなディスプレイ領域を追加し、該追加されたディスプレイ領域を複数のディスプレイ領域を含むディスプレイウィンドウ上にオーバーラップすることによって、追加された新たなディスプレイ領域と前記複数のディスプレイ領域とをプレビューし、編集することができるデジタルサイネージでディスプレイされるディスプレイコンテンツレイヤ編集方法と該方法を行う装置とを提供するところにある。
【課題を解決するための手段】
【０００４】
本発明の実施形態によるデジタルサイネージでディスプレイ（表示）されるディスプレイコンテンツレイヤ（ｄｉｓｐｌａｙ  ｃｏｎｔｅｎｔｓ  ｌａｙｅｒ）編集方法は、ディスプレイ管理モジュールが、複数のディスプレイ領域を含むディスプレイウィンドウをディスプレイする段階と、レイヤ編集モジュールが、ユーザ入力装置を通じて入力され、前記ディスプレイウィンドウに追加される追加ディスプレイ領域の名称と追加ディスプレイ領域の座標とを受信する段階と、前記レイヤ編集モジュールが、前記ディスプレイウィンドウ上に受信された追加ディスプレイ領域の座標に相応する前記追加ディスプレイ領域をオーバーラップさせ、該オーバーラップされた追加ディスプレイ領域に、前記追加ディスプレイ領域の名称と前記追加ディスプレイ領域の座標とをディスプレイする段階と、を含む。
【０００５】
前記ディスプレイ管理モジュールは、前記複数のディスプレイ領域のそれぞれに、前記複数のディスプレイ領域のそれぞれの座標をディスプレイする。
前記レイヤ編集モジュールは、前記ディスプレイウィンドウ上に、前記追加ディスプレイ領域を半透明または不透明にオーバーラップさせる。
【０００６】
デジタルサイネージでディスプレイされるディスプレイコンテンツレイヤ編集方法は、コンピュータプログラムで作成されてコンピュータで読み取り可能な記録媒体に保存することができる。
【０００７】
本発明の実施形態によるデジタルサイネージでディスプレイされるディスプレイコンテ
ンツレイヤ編集機は、複数のディスプレイ領域を含むディスプレイウィンドウをディスプレイするためのディスプレイ管理モジュールと、ユーザ入力装置を通じて入力され、前記ディスプレイウィンドウに追加される追加ディスプレイ領域の名称と追加ディスプレイ領域の座標とを受信し、前記ディスプレイウィンドウ上に受信された追加ディスプレイ領域の座標に相応する前記追加ディスプレイ領域をオーバーラップさせ、該オーバーラップされた追加ディスプレイ領域に、前記追加ディスプレイ領域の名称と前記追加ディスプレイ領域の座標とをディスプレイするためのレイヤ編集モジュールと、を含む。
【０００８】
前記ディスプレイ管理モジュールは、前記複数のディスプレイ領域のそれぞれに、前記複数のディスプレイ領域のそれぞれの名称と座標とをディスプレイする。
前記レイヤ編集モジュールは、前記ディスプレイウィンドウ上に、前記追加ディスプレイ領域を半透明または不透明にオーバーラップさせる。
【０００９】
本発明の実施形態によるコンテンツレイヤ編集機から伝送されたディスプレイコンテンツをデジタルサイネージに伝送しうるサーバを含むディスプレイサイネージシステムにおいて、前記コンテンツレイヤ編集機は、複数のディスプレイ領域を含むディスプレイウィンドウをディスプレイし、ユーザ入力装置を通じて入力され、前記ディスプレイウィンドウに追加される追加ディスプレイ領域の名称と追加ディスプレイ領域の座標とを受信し、前記ディスプレイウィンドウ上に受信された追加ディスプレイ領域の座標に相応する前記追加ディスプレイ領域をオーバーラップさせ、該オーバーラップされた追加ディスプレイ領域に、前記追加ディスプレイ領域の名称と前記追加ディスプレイ領域の座標とをディスプレイし、前記オーバーラップされた追加ディスプレイ領域でディスプレイされるコンテンツを前記オーバーラップされた追加ディスプレイ領域にリンクさせて生成された前記ディスプレイコンテンツを前記サーバに伝送し、前記サーバは、前記デジタルサイネージから出力された伝送要求信号に応答して、前記ディスプレイコンテンツを前記デジタルサイネージに伝送し、前記デジタルサイネージは、前記ディスプレイコンテンツを前記オーバーラップされた追加ディスプレイ領域にディスプレイする。
【発明の効果】
【００１０】
本発明の実施形態によるデジタルサイネージでディスプレイされるディスプレイコンテンツレイヤ編集方法は、新たなディスプレイ領域を追加し、該追加されたディスプレイ領域を複数のディスプレイ領域を含むディスプレイウィンドウ上にオーバーラップすることによって、追加された新たなディスプレイ領域と前記複数のディスプレイ領域とをプレビューし、編集することができる。
【図面の簡単な説明】
【００１１】
【図１】本発明の実施形態によるデジタルサイネージシステムの概略的なブロック図である。
【図２】図１に示されたコンテンツレイヤ編集機の概略的なブロック図である。
【図３】図１に示されたコンテンツレイヤ編集機によって生成されたコンテンツレイヤの一実施形態を示す。
【図４】図１に示されたユーザから追加ディスプレイ領域の名称と位置とを受信するためのダイアログの一実施形態を示す。
【図５】図３に示されたコンテンツレイヤに追加ディスプレイ領域がディスプレイされたコンテンツレイヤの一実施形態を示す。
【図６】図１に示されたコンテンツレイヤ編集機の動作を説明するフローチャートである。
【発明を実施するための形態】
【００１２】
本発明の詳細な説明で引用される図面をより十分に理解するために、各図面の詳細な説
明が提供される。
本明細書に開示されている本発明の概念による実施形態についての特定の構造的ないし機能的説明は、単に本発明の概念による実施形態を説明する目的として例示されたものであって、本発明の概念による実施形態は、多様な形態で実施され、本明細書に説明された実施形態に限定されるものと解析されてはならない。
【００１３】
本発明の概念による実施形態は、多様な変更を加えることができ、さまざまな形態を有することができるので、特定の実施形態を図面に例示し、本明細書に詳細に説明する。しかし、これは、本発明の概念による実施形態を特定の開示形態に対して限定しようとするものではなく、本発明の思想及び技術範囲に含まれるあらゆる変更、均等物ないし代替物を含むものと理解しなければならない。
【００１４】
第１及び／または第２などの用語は、多様な構成要素の説明に使われるが、前記構成要素は、前記用語によって限定されるものではない。前記用語は、１つの構成要素を他の構成要素から区別する目的のみで、例えば、本発明の概念による権利範囲から外れず、第１構成要素は、第２構成要素と名付けられ、同様に、第２構成要素は、第１構成要素とも名付けられうる。
【００１５】
ある構成要素が、他の構成要素に“連結されて”、または“接続されて”いると言及された時には、その他の構成要素に直接的に連結されているか、または接続されていることもあるが、中間に他の構成要素が存在することもあると理解しなければならない。一方、ある構成要素が、他の構成要素に“直接連結されて”、または“直接接続されて”いると言及された時には、中間に他の構成要素が存在していないと理解しなければならない。構成要素間の関係を説明する他の表現、すなわち、“〜の間に”、“すぐ〜の間に”、または“〜に隣合う”、“〜に直接隣合う”なども同様に解析しなければならない。
【００１６】
本明細書で使った用語は、単に特定の実施形態を説明するために使われたものであって、本発明を限定しようとする意図ではない。単数の表現は、文脈上明白に異なる意味と使用しない限り、複数の表現を含む。本明細書で、“含む”または“有する”などの用語は、実施された特徴、数字、段階、動作、構成要素、部分品またはこれらを組み合わせたものが存在するということを指定しようとするものであって、１つまたはそれ以上の他の特徴や数字、段階、動作、構成要素、部分品またはこれらを組み合わせたものの存在、または付加の可能性をあらかじめ排除しないものと理解しなければならない。
【００１７】
特に定義のない限り、技術的や科学的な用語を含んで、ここで使われるあらゆる用語は、本発明が属する技術分野で通常の知識を有した者によって、一般的に理解されるものと同じ意味を有している。一般的に使われる辞書に定義されたような用語は、関連技術の文脈上有する意味と一致する意味を有するものと解析されなければならず、本明細書で明白に定義しない限り、理想的や過度に形式的な意味として解析されない。
【００１８】
以下、添付した図面を参照して、本発明の望ましい実施形態を説明することによって、本発明を詳しく説明する。
図１は、本発明の実施形態によるデジタルサイネージシステムの概略的なブロック図であり、図２は、図１に示されたコンテンツレイヤ編集機の概略的なブロック図であり、図３は、図１に示されたコンテンツレイヤ編集機によって生成されたコンテンツレイヤの一実施形態を示す。
【００１９】
図１ないし図３を参照すると、デジタルサイネージシステム１００は、コンテンツレイヤ編集機１０、サーバ６０、及びデジタルサイネージ７０を含む。
デジタルサイネージ７０でディスプレイされるコンテンツレイヤを編集または製作する
ためのコンテンツレイヤ編集機１０は、複数のディスプレイ領域２１１、２１３、及び２１５をユーザ５０にディスプレイし、ユーザ５０によって複数のディスプレイ領域２１１、２１３、及び２１５を編集することができる。
【００２０】
コンテンツレイヤ編集機１０は、コンピュータに保存されたソフトウェアプログラムまたはアプリケーション（ａｐｐｌｉｃａｔｉｏｎ）を意味する。
デジタルサイネージ７０でディスプレイするためのコンテンツレイヤ編集機１０は、ディスプレイ管理モジュール２０とレイヤ編集モジュール３０とを含む。
【００２１】
本明細書において、モジュール（ｍｏｄｕｌｅ）とは、本発明の実施形態による技術的思想を行うためのハードウェア及び前記ハードウェアを駆動するためのソフトウェアの機能的または構造的結合を意味する。例えば、前記モジュールは、所定のプログラムコードと前記プログラムコードが行われるためのハードウェアリソースの論理的または機能的単位を意味し、必ずしも物理的に連結されたプログラムコードを意味するか、一種のハードウェアを意味するものではない。
【００２２】
ディスプレイ管理モジュール２０は、複数のディスプレイ領域２１１、２１３、及び２１５を含むディスプレイウィンドウ２１０をディスプレイする。
ディスプレイウィンドウ２１０は、複数のディスプレイ領域２１１、２１３、及び２１５を含みうる。
【００２３】
複数のディスプレイ領域２１１、２１３、及び２１５は、コンテンツのそれぞれがデジタルサイネージ１０でディスプレイされるそれぞれの位置をあらかじめ見せる空間を意味する。
【００２４】
前記コンテンツは、絵、文字、流動（スクロール）文字、映像（画像）、または動画を意味する。複数のディスプレイ領域２１１、２１３、及び２１５の個数と位置は、実施形態によって多様に変更されうる。前記流動文字は、情報伝達または広告のための文字が順次または非順次に移動する文字を意味する。
【００２５】
ディスプレイ管理モジュール２０は、複数のディスプレイ領域２１１、２１３、及び２１５のそれぞれに複数のディスプレイ領域２１１、２１３、及び２１５のそれぞれの名称Ａ１、Ａ２、及びＡ３と座標とをディスプレイすることができる。
【００２６】
例えば、第１ディスプレイ領域２１１には、“Ａ１”という名称と第１ディスプレイ領域２１１の座標（Ｘ１：０、Ｙ１：０、Ｘ２：７６８、Ｙ２：６３０）とがディスプレイされ、第２ディスプレイ領域２１３には、“Ａ２”という名称と第２ディスプレイ領域２１３の座標（Ｘ１：０、Ｙ１：６３０、Ｘ２：７６８、Ｙ２：１２６０）とがディスプレイされうる。
【００２７】
ディスプレイウィンドウ２１０は、コンテンツレイヤ２００に含まれうる。
実施形態によって、コンテンツレイヤ２００は、第１ウィンドウ２２０、第２ウィンドウ２３０、第３ウィンドウ２４０、及び第４ウィンドウ２５０をさらに含みうる。ウィンドウのそれぞれは、ＧＵＩ（グラフィカル・ユーザ・インタフェース）を意味する。
【００２８】
第１ウィンドウ２２０は、複数のディスプレイ領域２１１、２１３、及び２１５のレイヤタップ２２１、２２３、及び２２５とコンテンツレイヤタップ２２７とを含みうる。
複数のディスプレイ領域２１１、２１３、及び２１５の複数のレイヤタップ（ｌａｙｅｒ  ｔａｐｓ）２２１、２２３、及び２２５のそれぞれは、複数のディスプレイ領域２１１、２１３、及び２１５のそれぞれのコンテンツを選択することができるレイヤ（図示せ
ず）を活性化する。例えば、第１ディスプレイ領域２１１のレイヤタップ２２１が選択される時、第１ディスプレイ領域２１１に、文字、流動文字、映像、または動画のうちの何れか１つをリンク（ｌｉｎｋ）するためのレイヤ（図示せず）が活性化される。前記リンクは、ファイル（ｆｉｌｅ）として具現された文字、流動文字、映像、または動画のうちの何れか１つを選択して、第１ディスプレイ領域２１１にディスプレイさせることを意味する。
【００２９】
コンテンツレイヤタップ２２７は、複数のディスプレイ領域２１１、２１３、及び２１５の位置と名称とをディスプレイするディスプレイウィンドウ２１０を含むコンテンツレイヤ２００を活性化する。
【００３０】
第２ウィンドウ２３０は、コンテンツレイヤタップ２２７の名称窓、背景イメージファイルボタン、背景イメージ削除ボタン、背景色ボタン、背景サウンド（バックグラウンドミュージック）ファイルボタン、及び背景サウンド除去ボタンを含む。
【００３１】
コンテンツレイヤタップ２２７の名称は、前記名称窓によって設定または変更されうる。例えば、コンテンツレイヤタップ２２７の名称は、前記名称窓に“Ｂ”と設定しうる。
背景イメージは、前記背景イメージファイルボタンまたは前記背景イメージ削除ボタンによって設定または変更されうる。
【００３２】
背景色は、前記背景色ボタンによって設定または変更されうる。実施形態によって、前記背景色は、背景設定窓に直接背景に該当する数値を入力することができる。例えば、前記背景設定窓に“２５５．２５５．２５５”と設定することができる。
【００３３】
背景サウンドは、前記背景サウンドファイルボタンまたは前記背景サウンド除去ボタンによって設定または変更されうる。
第３ウィンドウ２４０は、複数のディスプレイ領域２１１、２１３、及び２１５の情報リストを含む。
【００３４】
前記情報リストは、複数のディスプレイ領域２１１、２１３、及び２１５のそれぞれの名称（例えば、領域名）、コンテンツの種類、及び座標を表示する。
例えば、前記情報リストは、第１ディスプレイ領域２１１の名称“Ａ１”、コンテンツの種類“流動文字”、及び座標（Ｘ１：０、Ｙ１：１００、Ｘ２：７６８、Ｙ２：１３６６）を表示する。
【００３５】
第４ウィンドウ２５０は、追加ボタン、削除ボタン、適用ボタン、及びプレビュー（ｐｒｅ−ｖｉｅｗ）ボタンを含む。
前記追加ボタンが選択される時、レイヤ編集モジュール３０は、追加ディスプレイ領域を生成する。実施形態によって、前記追加ディスプレイ領域生成は、多様な方法によって行われる。
【００３６】
前記削除ボタンが選択される時、レイヤ編集モジュール３０は、複数のディスプレイ領域２１１、２１３、及び２１５のうちの何れか１つを削除させる。
前記適用ボタンは、複数のディスプレイ領域２１１、２１３、及び２１５の変更または新たな追加ディスプレイ領域が生成される時、前記変更または前記生成を適用させる。
【００３７】
前記プレビューボタンが選択される時、複数のディスプレイ領域２１１、２１３、及び２１５をデジタルサイネージ７０で如何にディスプレイされるかをプレビューさせる。
コンテンツレイヤ２００に含まれたウィンドウ２１０、２２０、２３０、及び２４０の個数と位置は、実施形態によって多様である。
【００３８】
レイヤ編集モジュール３０は、ユーザ入力装置を通じて入力され、ディスプレイウィンドウ２１０に追加される追加ディスプレイ領域の名称と追加ディスプレイ領域の座標とを受信する。前記ユーザ入力装置は、キーボード、マウス、タッチパッド、またはスタイラスペン（ｓｔｙｌｕｓ  ｐｅｎ）のうちの何れか１つを含む。
【００３９】
実施形態によって、コンテンツレイヤ２００に含まれた第４ウィンドウ２５０の前記追加ボタンを選択することによって、別途の追加ディスプレイ領域の名称と位置とを受信するためのダイアログ（ｄｉａｌｏｇ）が生成されうる。
【００４０】
図４は、図１に示されたユーザから追加ディスプレイ領域の名称と位置とを受信するためのダイアログの一実施形態を示す。
図１ないし図４を参照すると、ダイアログ３００は、第５ウィンドウ３１０、第６ウィンドウ３２０、及び第７ウィンドウ３３０を含みうる。
【００４１】
第５ウィンドウ３１０は、追加されるディスプレイ領域をあらかじめ表示する。
第６ウィンドウ３２０は、追加ディスプレイ領域の名称と座標とを入力することができる入力窓を含む。
【００４２】
第７ウィンドウ３３０は、前記追加ディスプレイ領域の座標を設定、または調節することができる複数のスライダー（ｓｌｉｄｅｒｓ）を含む。
例えば、前記スライダーのそれぞれを調節することによって、前記追加ディスプレイ領域の座標を設定、または調節することができる。
【００４３】
レイヤ編集モジュール３０は、第６ウィンドウ３２０または第７ウィンドウ３３０のスライド（スライダー）を通じて別途の追加ディスプレイ領域の座標を受信することができる。
【００４４】
図５は、図３に示されたコンテンツレイヤに追加ディスプレイ領域がディスプレイされたコンテンツレイヤの一実施形態を示す。
図１ないし図５を参照すると、レイヤ編集モジュール３０は、ディスプレイウィンドウ２１０上に受信された追加ディスプレイ領域の座標（Ｘ１：１００、Ｙ１：１００、Ｘ２：６６８、Ｙ２：７８０）に相応する追加ディスプレイ領域４１０をオーバーラップさせ、該オーバーラップされた追加ディスプレイ領域４１０に追加ディスプレイ領域の名称（例えば、“Ａ４”）と追加ディスプレイ領域の座標（Ｘ１：１００、Ｙ１：１００、Ｘ２：６６８、Ｙ２：７８０）とをディスプレイする。
【００４５】
レイヤ編集モジュール３０は、第７ウィンドウ３３０のスライドを用いて追加ディスプレイ領域の座標（Ｘ１：１００、Ｙ１：１００、Ｘ２：６６８、Ｙ２：７８０）を受信することができる。
【００４６】
レイヤ編集モジュール３０は、ディスプレイウィンドウ２１０上に追加ディスプレイ領域４１０を半透明または不透明にオーバーラップさせることができる。
レイヤ編集モジュール３０は、オーバーラップされた追加ディスプレイ領域４１０でディスプレイされるコンテンツをオーバーラップされた追加ディスプレイ領域４１０にリンクさせて、ディスプレイコンテンツを生成させる。
【００４７】
前記ディスプレイコンテンツは、デジタルサイネージ７０でディスプレイされる文字、流動文字、映像、または動画のうちの何れか１つを意味する。
実施形態によって、デジタルサイネージ７０でディスプレイするためのコンテンツレイ
ヤ編集機１０は、ディスプレイコンテンツ伝送モジュール４０をさらに含みうる。
【００４８】
ディスプレイコンテンツ伝送モジュール４０は、前記ディスプレイコンテンツを受信してサーバ６０に伝送する。
実施形態によって、ディスプレイコンテンツ伝送モジュール４０は、前記ディスプレイコンテンツをデジタルサイネージ７０に直接伝送しうる。
【００４９】
サーバ６０は、デジタルサイネージ７０から出力された伝送要求信号に応答して、前記ディスプレイコンテンツをデジタルサイネージ７０に伝送する。
デジタルサイネージ７０は、前記ディスプレイコンテンツをディスプレイする。
【００５０】
図６は、図１に示されたコンテンツレイヤ編集機の動作を説明するフローチャートである。
図１ないし図６を参照すると、ディスプレイ管理モジュール２０は、複数のディスプレイ領域２１１、２１３、及び２１５を含むディスプレイウィンドウ２１０をディスプレイする（ステップＳ１０）。
【００５１】
レイヤ編集モジュール３０は、ディスプレイウィンドウ２１０に追加される追加ディスプレイ領域４１０の名称と追加ディスプレイ領域の座標とを受信する（ステップＳ２０）。
【００５２】
例えば、レイヤ編集モジュール３０は、追加ディスプレイ領域４１０の名称“Ａ４”と追加ディスプレイ領域４１０の座標（Ｘ１：２３、Ｘ２：０、Ｙ１：２７３、Ｙ２：８２０）とを受信することができる。
【００５３】
実施形態によって、レイヤ編集モジュール３０は、第７ウィンドウ３３０のスライドを用いて追加ディスプレイ領域４１０の座標（Ｘ１：２３、Ｘ２：０、Ｙ１：２７３、Ｙ２：８２０）を受信することができる。
【００５４】
レイヤ編集モジュール３０は、ディスプレイウィンドウ２１０上に受信された追加ディスプレイ領域の座標に相応する追加ディスプレイ領域４１０をオーバーラップさせる（ステップＳ３０）。
【００５５】
レイヤ編集モジュール３０は、オーバーラップされた追加ディスプレイ領域４１０に追加ディスプレイ領域の名称“Ａ４”と追加ディスプレイ領域の座標（Ｘ１：２３、Ｘ２：０、Ｙ１：２７３、Ｙ２：８２０）とをディスプレイすることができる。
【００５６】
コンテンツレイヤ編集機１０は、追加ディスプレイ領域４１０の名称と追加ディスプレイ領域４１０の座標とを受信して、ディスプレイウィンドウ２１０上に受信された追加ディスプレイ領域４１０の座標に相応する追加ディスプレイ領域４１０をオーバーラップさせることによって、追加ディスプレイ領域４１０と複数のディスプレイ領域２１１、２１３、及び２１５とをプレビューし、編集可能にする。
【００５７】
本発明は、図面に示された実施形態を参考にして説明されたが、これは例示的なものに過ぎず、当業者ならば、これより多様な変形及び均等な他実施形態が可能であるという点を理解できるであろう。したがって、本発明の真の技術的保護範囲は、特許請求の範囲の技術的思想によって決定されるべきである。
【産業上の利用可能性】
【００５８】
本発明は、デジタルサイネージ分野で利用されうる。
【図１】
2013527537.tif 000003
【図２】
2013527537.tif 000004
【図３】
2013527537.tif 000005
【図４】
2013527537.tif 000006
【図５】
2013527537.tif 000007
【図６】
2013527537.tif 000008
【国際調査報告】
2013527537.tif 000009
2013527537.tif 000010
2013527537.tif 000011
2013527537.tif 000012